(57)【要約】【課題】装飾効果が高い植物観賞セットを提供すること。【解決手段】透明性を有する水耕栽培用ゼリー４を入れた透明容器２に植物６を入れて育成する植物観賞セット１において、透明容器２を載置する載置面９に、緑色発光ダイオード１０ａ、赤色発光ダイオード１０ｂ、青色発光ダイオード１０ｃを近接して配設した発光部材１０が設けられ、緑色発光ダイオード１０ａ、赤色発光ダイオード１０ｂ、青色発光ダイオード１０ｃを単色又は組み合わせて発光させることにより発光部材１０を７色に発光させるようにする。【選択図】図１
0003117399.tif 000002
【実用新案登録請求の範囲】
【請求項１】
透明性を有する水耕栽培用ゼリーを入れた透明容器に植物を入れて育成する植物観賞セットにおいて、
前記透明容器を載置する載置面に、赤色発光ダイオード、緑色発光ダイオード、青色発光ダイオードを近接して配設した発光部材が設けられ、前記赤色発光ダイオード、前記緑色発光ダイオード、前記青色発光ダイオードを単色又は組み合わせて発光させることにより前記発光部材を７色に発光させることが可能なコースタを有することを特徴とする植物観賞セット。
【請求項２】
請求項１に記載する植物観賞セットにおいて、
前記コースタは、前記発光部材に対応する位置に拡散レンズが設けられていることを特徴とする植物観賞セット。
【請求項３】
請求項１又は請求項２に記載する植物観賞セットにおいて、
前記コースタは、前記赤色発光ダイオード、前記緑色発光ダイオード、前記青色発光ダイオードの発光状態を切り替える制御回路を有することを特徴とする植物観賞セット。
【請求項４】
請求項１乃至請求項３の何れか１つに記載する植物観賞セットにおいて、
前記コースターが電池を内蔵していることを特徴とする植物観賞セット。
【請求項５】
請求項１乃至請求項４の何れか１つに記載する植物観賞セットにおいて、
前記透明容器は、マイナスイオンを発生するセラミックスが、前記ゼリーとともに入れられていることを特徴とする植物観賞セット。
【請求項６】
請求項１乃至請求項５の何れか１つに記載する植物観賞セットにおいて、
前記コースタと、前記ゼリーを乾燥させた乾燥ゼリー粉と、前記透明容器とを１つの梱包材に入れて搬送されることを特徴とする植物観賞セット。
【考案の詳細な説明】
【技術分野】
【０００１】
本考案は、植物を容器に入れて観賞する植物観賞セットに関する。
【背景技術】
【０００２】
従来より、水を張った容器に根のついた植物を入れたものを室内に置いて育成し、植物を観賞することが行われている（例えば、特許文献１参照）。
また、近年、土を取り扱わないハイドロカルチャーが注目を集め、水耕栽培用ゼリーを容器に入れて植物を入れて育成することが行われている。
【０００３】
【特許文献１】特開２００４−３０５６９１号公報
【考案の開示】
【考案が解決しようとする課題】
【０００４】
しかしながら、近年、植物の癒し効果を求め、室内等に植物を置く需用者が増えつつある。それらの需用者は、植物を容器に入れて観賞するための植物観賞セットに対して、室内装飾品としての装飾効果を求めている。
【０００５】
そこで、本考案は、上記課題を解決するため、装飾効果が高い植物観賞セットを提供することを目的とする。
【課題を解決するための手段】
【０００６】
上記の目的を達成するために、本考案の植物観賞セットは以下の構成を有する。
（１）透明性を有する水耕栽培用ゼリーを入れた透明容器に植物を入れて育成する植物観賞セットにおいて、透明容器を載置する載置面に、赤色発光ダイオード、緑色発光ダイオード、青色発光ダイオードを近接して配設した発光部材が設けられ、赤色発光ダイオード、緑色発光ダイオード、青色発光ダイオードを単色又は組み合わせて発光させることにより発光部材を７色に発光させることが可能なコースタを有することを特徴とする。
【０００７】
（２）（１）に記載する植物観賞セットにおいて、コースタは、発光部材に対応する位置に拡散レンズが設けられていることを特徴とする。
（３）（１）又は（２）に記載する植物観賞セットにおいて、コースタは、赤色発光ダイオード、緑色発光ダイオード、青色発光ダイオードの発光状態を切り替える制御回路を有することを特徴とする。
（４）（１）乃至（３）の何れか１つに記載する植物観賞セットにおいて、コースターが電池を内蔵していることを特徴とする。
【０００８】
（５）（１）乃至（４）の何れか１つに記載する植物観賞セットにおいて、透明容器は、マイナスイオンを発生するセラミックスが、ゼリーとともに入れられていることを特徴とする。
（６）（１）乃至（５）の何れか１つに記載する植物観賞セットにおいて、コースタと、ゼリーを乾燥させた乾燥ゼリー粉と、透明容器とを１つの梱包材に入れて搬送されることを特徴とする。
【考案の効果】
【０００９】
本考案の植物観賞セットによれば、発光部材は、赤色発光ダイオード、緑色発光ダイオード、青色発光ダイオードを単色又は組み合わせて発光させることにより、赤色、緑色、青色、紫色、水色、黄色、白色の何れかに発色し、その発色した光が、透明容器を透過して透明性を有する水耕栽培用ゼリーの表面に反射し、透明容器内をキラキラと光らせるので、単に植物をゼリーに入れて育成する場合と比べて、装飾効果を高めることができる。
【００１０】
また、本考案の植物観賞セットは、赤色発光ダイオードと緑色発光ダイオードと青色発光ダイオードから個々に発光される光が、拡散レンズを通過する際にしっかり混合されるので、発光部材が透明容器に照射する光の色を鮮やかにすることができる。
また、本考案の植物観賞セットによれば、制御回路により赤色発光ダイオードと緑色発光ダイオードと青色発光ダイオードの発光状態を切り替えて、発光部材が透明容器に照射する光の色を切り替えるので、透明容器内の色に変化を加えることができる。なお、発光部材が発光する光の色は、順次切り替えてもよいし、ランダムに切り替えてもよい。また、連続的に各発光ダイオードの発光状態を切り替えてグラデーション的に透明容器内の色が移り変わるようにしてもよいし、断続的に各発光ダイオードを発光させて透明容器内の色を変化させるようにしてもよい。
また、本考案の植物観賞セットによれば、消費電力が小さい発光ダイオードを使用して発光部材を発光させるため、コンセント等を設けなくても、コースターに内蔵する電池のみで発光部材を長時間発光させることができる。
【００１１】
また、本考案の植物観賞セットによれば、ゼリーとともに透明容器に入れたセラミックスが、透明容器内でマイナスイオンを発生して透明容器内を浄化するので、透明容器内の濁りをなくして、光透過性を良好にできるとともに、植物の生育活性化を図ることができる。
また、本考案の植物観賞セットによれば、コースタと、ゼリーを乾燥させた乾燥ゼリー粉と、透明容器とを１つの梱包材に入れて搬送するので、取引流通過程で植物観賞セットを搬送する際の制約を減らすことができる。
【考案を実施するための最良の形態】
【００１２】
本考案の植物観賞セットの一実施形態を図面を参照して説明する。図１は、植物観賞セット１の正面図であって、発光部材１０が発光している状態を示す。また、図２は、植物観賞セット１の正面図であって、発光部材１０が発光していない状態を示す。
図１及び図２に示すように、植物観賞セット１は、透明容器２に水３と水耕栽培用ゼリー（以下単に「ゼリー」という。）４とセラミックス５を入れ、ゼリー４内に植物６の根を差し込んでいる。植物観賞セット１の透明容器２は、コースタ７に載せられ、コースタ７に設けられた後述の発光部材１０により下面から光を照射されるようになっている。
【００１３】
透明容器２は、光を透過可能な透明性を有する容器であればよく、無色透明であっても有色透明であってもよい。また、透明容器２は、透明性があれば、プラスチックやガラスなど材質を問わない。本実施形態では、無色透明で開口部を波形に成形された金魚鉢形のガラス容器を透明容器２として使用する。
【００１４】
ゼリー４は、市販の乾燥ゼリー粒を所定量の水に入れて膨らませたものである。ゼリー４は、光を反射できる形状であれば、丸形、楕円形、キューブ形、かち割り氷形などいずれの形状であってもよい。本実施形態のゼリー４は、製造コストや光の反射性に鑑みて、かち割り氷形の粒状をなし、表面が凸凹している。ゼリー４は、形状や大きさが同一であってもよいし、異なっても良いが、本実施形態では、ゼリー４の形状や大きさなどが個々に異なっている。ゼリー４は、透明性があれば、無色透明であってもよいし、有色透明であってもよく、さらには、無色或いは複数色のゼリーを混ぜて使用してもよい。本実施形態では、透明性のあるピンク色のゼリーを使用する。
【００１５】
ゼリー４は、水３より比重が軽いため、透明容器２に入れられると、水面に集まって集結する。そのため、透明容器２は、透明感のある水３の透明層と、氷があつまったようなゼリー４のゼリー層とに分離し、透明層とゼリー層との間に凸凹の境界面が形成される。また、透明容器２は、ゼリー４の一部が気泡のように水３内に浮遊している。なお、水３は、予め透明容器２に入れたものであってもよいし、ゼリー４の一部が圧縮されて溶け出したものでもよい。
【００１６】
セラミックス５は、窯の中に粘度の粒を入れて高温（例えば１６００度）で素焼きしたもの、或いは、窯の中に粘度の塊を入れて高温で素焼きして細かく割ったものに、マイナスイオンを発生する釉薬を塗布して焼き付けたものである。セラミックス５は、水で膨らんだゼリー４に予め混ぜ合わされてから透明容器２に入れられる。セラミック５は、小さな粒状をなすため、ゼリー４の間に入り込んで透明容器２内に分散して配置される。また、セラミック５には、色がつけられ、装飾効果を高められるようになっている。
【００１７】
植物６は、茎の周りをゼリー４で支えられて垂直方向に立っている。植物６は、水耕栽培に適する植物であれば種類を限定されないが、本実施形態では、植物６としてバンブーを使用する。
【００１８】
図３は、コースタ７の平面図である。
図３に示すようにコースタ７は、プラスチック製の筐体８を備える。コースタ７は、筐体８の載置面９に３個の発光部材１０が円周方向に等間隔に配置され、各発光部材１０が同時に、或いは、順番に切り替えられて発光する。
【００１９】
図４は、コースタ７の分解斜視図である。
コースタ７は、本体１１とカバー１２が４本のボルト１３で連結される。
【００２０】
図５は、コースタ７の内部構造を示す図である。
コースタ７の本体１１には、基板１５がネジ止めされている。基板１５は、３個の発光部材１０が円周方向に等間隔に配置されている。発光部材１０は、数ミリ四方の小さな直方体形状をなし、緑色発光ダイオード１０ａと赤色発光ダイオード１０ｂと青色発光ダイオード１０ｃが並べて設されている。緑色発光ダイオード１０ａと赤色発光ダイオード１０ｂと青色発光ダイオード１０ｃは、０．５〜１．５ｍｍ程度の小型なものであり、小さいピッチで近接して配設されている。発光部材１０は、緑色発光ダイオード１０ａと赤色発光ダイオード１０ｂと青色発光ダイオード１０ｃを個別に発光できるように配線されている。そのため、発光部材１０は、緑色発光ダイオード１０ａと赤色発光ダイオード１０ｂと青色発光ダイオード１０ｃが発光する光を単色又は組み合わせて使用することにより、７色に発光することが可能である。
【００２１】
すなわち、発光部材１０は、緑色発光ダイオード１０ａ、赤色発光ダイオード１０ｂ、青色発光ダイオード１０ｂをそれぞれ単独で発光させることにより緑色、赤色、青色に発色する他、赤色発光ダイオード１０ｂと青色発光ダイオード１０ｃを同時に発光することにより紫色に発色し、緑色発光ダイオード１０ａと青色発光ダイオード１０ｃを同時に発光することにより水色に発色し、緑色発光ダイオード１０ａと赤色発光ダイオード１０ｂを同時に発光することにより黄色に発色し、緑色発光ダイオード１０ａと赤色発光ダイオード１０ｂと青色発光ダイオード１０ｃを同時に発光することにより白色に発色する。
【００２２】
コースタ７は、電池１７，１７を内蔵し、電池１７，１７の電力を基板１５に供給して、各発光ダイオード１０ａ，１０ｂ，１０ｃを発光させている。電池１７，１７は、本体１１からカバー１２を取り除いて図中斜め方向に着脱することにより交換できるようになっている。基板１５は、電池１７，１７を緑色発光ダイオード１０ａと赤色発光ダイオード１０ｂと青色発光ダイオード１０ｃの発光状態を図示しないタイマにより一定時間間隔で順次切り替える制御回路１６を有している。基板１５には、本体１１の側面に設けられたスイッチ１８が配線１９を介して接続し、発光部材１０のオン状態をオフ状態を切り替えるようになっている。
【００２３】
図３に示すように、コースタ７は、基板１５を覆うようにカバー１２を本体１１に被せたときに、拡散レンズ１４が発光部材１０に対応する位置に配置される。拡散レンズ１４は、プラスチックレンズであり、発光部材１０から受光した光をレンズ内で屈折させて混合し、さらに混合した光を拡げて発光部材１０と反対側に通過させるように構成されている。
【００２４】
次に、植物観賞セット１の取扱いについて説明する。
植物観賞セット１は、例えば、デパートや通信販売などで販売される。植物観賞セット１は、図１及び図２に示すように、透明容器２に水３、ゼリー４、セラミック５、植物６を入れ、コースタ７に載せた状態で販売され、組み立てを完了した状態で購入者や運搬会社作業員等により搬送される。ところが、透明容器２は、開口部が波形をなすガラス製の容器であり、植物観賞セット１を搬送するときに、何かが透明容器２の開口部に当たって透明容器２を破損させる恐れがある。また、搬送時に植物観賞セット１を倒すと、水３やゼリー４が透明容器２からこぼれる恐れがある。このような不具合は、特に植物観賞セット１を通信販売で売買し、植物観賞セット１の状態を十分に把握していない運搬作業員が植物観賞セット１を購入先へ配送するときに生じやすいと考えられる。
【００２５】
そこで、植物観賞セット１は、空の透明容器２を緩衝材に入れ、ゼリー４を乾燥させた乾燥ゼリー粉とコースタ７とともに１つの梱包材にまとめて入れて搬送し、搬送先でセット１を組み立てるようにしてもよい。すなわち、植物観賞セット１の組立キットを受け取った購入者は、梱包材に入っている乾燥ゼリー粉に所定量の水を加えて膨らませ、緩衝材から取り出した透明容器２に好みの植物６を入れ、水で膨らませたゼリー４を植物６の周りから透明容器２に入れて植物６を飾れる状態にし、その透明容器２をコースタ７に載せるようにしてもよい。この場合、梱包材に植物６又はセラミック５を一緒に梱包してもよいし、セット１の購入者が好みの植物６とセラミック５を別途購入し、透明容器２に任意に入れるようにしてもよい。
【００２６】
上記植物観賞セット１は、例えば、飲食店の室内に設置されたテーブルに置かれて使用される。植物観賞セット１は、テーブルに置いたコースタ７の載置面９に透明容器２を載置して植物６を飾った後、コースタ７のスイッチ１８をオフ状態からオン状態に切り替えるまでは、図２に示すように、発光部材１０が発光せず、植物６が従来技術と同様に飾られる。
【００２７】
一方、例えば、テーブルを置かれた室内が薄暗くなったときに、コースタ７のスイッチ１８をオフ状態からオン状態に切り替えると、図１に示すように、発光部材１０が透明容器２に光を照射する。発光部材１０が発光する光は、拡散レンズ１４を通過し、さらに透明容器２と水３を透過してゼリー４に到達する。ゼリー４は、透明なピンク色をなす。また、ゼリー４は、表面が凸凹な粒状をなし、透明容器２に入れたときに、水面に終結して水３との間に凸凹な境界面を形成している。また、ゼリー４は、比重の関係で、水３内で浮遊する。そのため、発光部材１０の光は、図１のドットで記載するＰ部に示すように、水３内で分散すると、水層とゼリー層との境界面のゼリー４や水３内で浮遊するゼリー４に反射して光る他、透明なゼリー４を下方から上方に向かって透過し、境界面より透明容器２の開口側に積層された各ゼリー４にも反射して光る。この結果、植物観賞セット１は、発光部材１０の光が、透明容器２のほぼ全体に行き渡り、透明容器２の高さ方向、幅方向、奥行き方向に異なる位置で点在して反射し、透明容器２内で星くずのようにキラキラと光る。特に、植物観賞セット１の周囲が薄暗いので、透明容器２内の光が一層際だって光り、美しさが増長される。
【００２８】
また、ゼリー４がピンク色の透明をなすため、発光部材１０から透明容器２に同系色の赤色の光を照射すれば、赤色の光が一層鮮やかに透明容器２内で光り、一方、発光部材１０から透明容器２に赤色以外の色の光を照射すれば、ゼリー４の色と光の色のコントラストを楽しむことができる。
【００２９】
ここで、例えば、緑色・赤色・青色の発光ダイオードが大きい場合には、発光ダイオード同士を近接して配設することができない。この場合、例えば、緑色、赤色、青色の発光ダイオードを同時に発光させても、全ての色の光が混じり合わない。このような発光ダイオードをコースタ７に適用すると、コースタ７は、白色の光ではなく、緑色と赤色と青色の光をそれぞれ透明容器２に照射してしまい、透明容器２を統一感をもって光らせることができない。
【００３０】
この点、本実施形態の発光部材１０は、小さな緑色発光ダイオード１０ａと赤色発光ダイオード１０ｂと青色発光ダイオード１０ｃを近接して配設しているため、各発光ダイオード１０ａ，１０ｂ，１０ｃを組み合わせて発光する際に十分に光が混合される。その上、発光部材１０の光は、拡散レンズ１４を通過する際に更に混合され、透明容器２に照射される。そのため、発光部材１０の光は、単一の鮮やかな色彩をもって透明容器２に照射される。
【００３１】
このような発光部材１０は、一定時間間隔で緑色発光ダイオード１０ａと赤色発光ダイオード１０ｂと青色発光ダイオード１０ｃの発光状態を自動的に切り替えられ、赤色、緑色、青色、紫色、黄色、水色、白色の光を順次発光する。そのため、透明容器２は、発光部材１０から発光される光の色の変化に伴って、ゼリー４に反射して光る光の色が順次切り替えられる。この場合、光の色を連続変位させてグラデーション的に移り変わるようにしてもよいし、断続的に変位させるようにしてもよい。また、ここでは、発光部材１０が順次色彩を変化させるが、ランダムに色彩を変化させてもよい。さらに、色毎に発光時間を変えるようにしてもよい。
【００３２】
尚、上記説明では、薄暗い室内で発光部材１０を発光させ、透明容器２を光らせる場合について説明したが、発光ダイオード１０ａ，１０ｂ，１０ｃ自体が強い光を発光するため、蛍光灯のついた明るい室内等であっても、発光部材１０を発光させて透明容器２内を美しく光らせることができる。
【００３３】
ところで、コースタ７は、筐体８内の基板１５が水滴を嫌うため、透明容器２の表面に結露が生じにくくすることが望ましい。ゼリー４は、水３と比べて外気温の変化に伴う温度変化の幅が小さい。植物観賞セット１は、透明容器２にゼリー４を入れることにより、水３のみを透明容器２に入れる場合より透明容器２の表面に結露が生じにくいようにし、コースタ７の基板１５に水が浸入してショート等を生じる不具合を未然に防止できる。
【００３４】
従って、本実施形態の植物観賞セット１によれば、発光部材１０は、緑色発光ダイオード１０ａ、赤色発光ダイオード１０ｂ、青色発光ダイオード１０ｃを単色又は組み合わせて発光させることにより、赤色、緑色、青色、紫色、水色、黄色、白色の何れかに発色し、その発色した光が、透明容器２を透過して透明性を有するゼリー４の表面に反射し、透明容器２内をキラキラと光らせるので、単に植物をゼリーに入れて育成する場合と比べて、装飾効果を高めることができる。
【００３５】
また、本実施形態の植物観賞セット１は、緑色発光ダイオード１０ａと赤色発光ダイオード１０ｂと青色発光ダイオード１０ｃから個々に発光される光が、拡散レンズ１４を通過する際にしっかり混合されるので、発光部材１０が透明容器２に照射する光の色を鮮やかにすることができる。
また、本実施形態の植物観賞セット１によれば、制御回路１６により緑色発光ダイオード１０ａと赤色発光ダイオード１０ｂと青色発光ダイオード１０ｃの発光状態を切り替えて、発光部材１０が透明容器２に照射する光の色を切り替えるので、透明容器２内の色に変化を加えることができる。
また、本実施形態の植物観賞セット１によれば、消費電力の小さい発光ダイオード１０ａ，１０ｂ，１０ｃを使用して発光部材１０を発光させるため、電池１７，１７の寿命が長くなる。そのため、植物観賞セット１は、コンセントなどを設けなくても、コースター７に内蔵する電池１７，１７のみで発光部材１０を連続７０時間以上の長時間にわたって発光させることができる。
【００３６】
また、本実施形態の植物観賞セット１によれば、ゼリー４とともに透明容器２に入れたセラミックス５が、透明容器２内でマイナスイオンを発生して透明容器２内を浄化するので、透明容器２内の濁りをなくして、光透過性を良好にできるとともに、植物６の生育活性化を図ることができる。
また、本実施形態の植物観賞セット１によれば、コースタ７と、ゼリー４を乾燥させた乾燥ゼリー粉と、透明容器２とを１つの梱包材に入れて搬送するので、取引流通過程で植物観賞セット１を搬送する際の制約を減らすことができる。
【００３７】
以上、本考案の一実施形態について説明したが、本考案は、上記実施形態に限定されず、種々の変更が可能である。
例えば、上記実施形態では、スイッチ１８をスライドさせてオン・オフ状態を切り替えるようにした。これに対して、コースタ７の裏面にスイッチ１８を出入可能に設け、載置面９に透明容器２を載せたときに、透明容器２の自重でスイッチがオンされ、透明容器２を載置面９から下ろしたときに、スイッチがオフされるようにしてもよい。この場合、コースタ７の裏面にスイッチが突出するため、透明容器２を載せたときに多少不安的なるが、スイッチを操作する手間を軽減できる。
例えば、上記実施形態では透明容器２内に透明層とゼリー層とを形成したが、ゼリー層であってもよい。
例えば、上記実施形態では、マイナスイオンを発生する釉薬を塗布されたセラミック５を使用したが、セラミック材料にマイナスイオンを発生する材料を混ぜ込んで形成したセラミックを使用してもよい。
【図面の簡単な説明】
【００３８】
【図１】本考案の植物観賞セットの正面図であって、発光部材１０が発光している状態を示す。
【図２】本考案の植物観賞セットの正面図であって、発光部材１０が発光していない状態を示す。
【図３】コースタの平面図である。
【図４】コースタの分解斜視図である。
【図５】コースタの内部構造を示す図である。
【符号の説明】
【００３９】
１  植物観賞セット
２  透明容器
４  ゼリー
６  植物
７  コースタ
９  載置面
１０  発光部材
１０ａ  緑色発光ダイオード
１０ｂ  赤色発光ダイオード
１０ｃ  青色発光ダイオード
１６  制御回路
１７  電池
【図１】
0003117399.tif 000003
【図２】
0003117399.tif 000004
【図３】
0003117399.tif 000005
【図４】
0003117399.tif 000006
【図５】
0003117399.tif 000007